(57)【要約】【課題】  温水式床暖房フロア１Ａを施工するときの、温水パイプ３ａ，３ｂの端部とボイラー４０につながる温水循環路（温水管路）との接続を、間違いなくかつ容易に行いうるようにする。【解決手段】  温水パイプユニット１Ａの温水パイプ３ａ，３ｂの温水往き側端３ａ１、３ｂ１と温水戻り側端３ａ２、３ｂ２とに異なった識別手段１０、１１とを付ける。ボイラー４０に至るまでの往き側配管４１ａ，戻り側配管４２ａおよび分岐継手３０Ａ，３０Ｂにも同じ識別手段を付しておく。【選択図】  図４
2005188891.tif 000002
【特許請求の範囲】
【請求項１】
基材シートに１回路の温水パイプまたは並列した２回路以上の温水パイプを配置した構成を持つ温水式床暖房フロア用の温水パイプユニットであって、回路を構成する温水パイプの温水往き側端と温水戻り側端には視覚または触覚によりあるいはその双方により両者を識別できる識別手段が施してあることを特徴とする温水パイプユニット。
【請求項２】
請求項１に記載の温水パイプユニットとボイラーなどである温水源との間に閉じた温水循環路が形成されている温水床暖房フロア用の温水循環システムであって、当該温水パイプユニットに配置した温水回路を形成する温水パイプの温水往き側端と温水源との間の温水往路および温水戻り側端と温水源との間の温水戻り路には、前記温水パイプの温水往き側端と温水戻り側端に施したと同様な識別手段が施してあることを特徴とする温水床暖房フロア用の温水循環システム。
【請求項３】
１個または複数個の温水パイプユニットに複数の温水回路が並列に配置されており、各回路の温水往き側端と温水源との間の温水往路には分岐継手が介装されていて最終的に１本の温水往路とされており、各回路の温水戻り側端と温水源との間の温水戻り路にも分岐継手が介装されていて最終的に１本の温水戻りとされており、かつ、それぞれの分岐継手には、各回路の温水往き側端と温水戻り側端と同様の識別手段が施してあることを特徴とする請求項２に記載の温水床暖房フロア用の温水循環システム。
【発明の詳細な説明】
【技術分野】
【０００１】
本発明は、温水式床暖房フロアを施工する際に使用する温水パイプユニット、およびそれを用いた温水循環システムに関し、特に、床暖房施工をするときに、温水の往き側と戻り側とを間違えることなくボイラー側に接続できるようにした温水パイプユニットおよびそれを用いた温水循環システムに関する。
【背景技術】
【０００２】
床下地の上に配設された温水パイプに温水を通すことによって暖房を行う温水式の床暖房フロアは知られている。施工の容易さから、所定のパターンに折り曲げた１回路あるいは２回路以上の温水パイプを矩形状の基材シートの上に配置し、その上を上部カバーで覆って一体化した温水パイプユニットが用いられることが多い（特許文献１：特開２００３−２７９０５７号公報など参照）。この種の温水パイプユニットは床下地面に必要枚数だけ敷き詰められ、各温水パイプユニットとボイラーなどである温水源との間に閉じた温水循環路が形成されて、温水床暖房フロア用の温水循環システムが構築される。そして、敷き詰めた温水パイプユニット群の上には、裏面に温水パイプのパターンに沿った凹溝を形成した木質系床材が敷設されて、温水式床暖房フロアとされる。
【０００３】
図９ａ，図９ｂはそのような温水パイプユニット１の一例を示しており、この例では、基材シート２の上に２回路分の温水パイプ３ａ、３ｂが並列状態で配置されている。基材シート２は平面視矩形状であり、温水パイプ３ａ、３ｂを覆うように、基材シート２と同じ大きさでありかつパイプ収容溝４を備えた上部カバー５が、パイプ収容溝４に温水パイプ３ａ、３ｂを収容した状態で載置される。そして、基材シート２と上部カバー５とを接着剤を用いて接着積層することにより、全体が一体化されている。
【０００４】
上記のような温水パイプユニット１では、ボイラー側との接続作業を容易化するなどの目的で、通常、各温水回路の温水往き側端側と温水戻り側端側は一箇所にまとめられる。図９の例では、図９ａに示すように、温水パイプ３ａによる右側回路の温水往き側端３ａ１と温水戻り側端３ａ２、および、温水パイプ３ｂによる左側回路の温水往き側端３ｂ１と温水戻り側端３ｂ２、とが、温水パイプユニット１のほぼ下辺側中央部にまとめておかれている。
【０００５】
施工のときに温水パイプの各端部をボイラー側に接続するに当たって、通常の場合、床下地に穴を開け、その穴から床下へ温水パイプ３ａ，３ｂの前記端部３ａ１，３ａ２，３ｂ１，３ｂ２の落とし込みが行われ、床下で、該落とし込んだパイプ端部と床下を走っているボイラーのような温水源に接続している連絡用の接続配管との接続が行われて、閉じた温水循環路とされる。
【特許文献１】特開２００３−２７９０５７号公報
【発明の開示】
【発明が解決しようとする課題】
【０００６】
前記のように、床暖房の施工現場では、閉じた温水循環路を構築するために、ボイラーなどの温水源に接続している温水往路側の管路および温水戻り路側の管路と、温水パイプユニットに配置した温水パイプの温水往き側端側および温水戻り側端側との接続作業が必要となるが、温水パイプのパイプ端部は通常すべて見た目では同じであり、床下地に開けた穴から床下へ落とし込んだ温水パイプ端部と、床下を走る温水源へ接属する温水往路と温水戻り路の各管路とを正しく、すなわち、往き側は往き側同士および戻り側は戻り側同士を、正しくかつ迅速に接続することは容易でなく、慎重な作業が必要とされている。特に、温水パイプの端部が根太や大引きなどを跨っているような場合、それぞれのパイプ端部の位置を確認することは容易でなく、接続間違いが起こる可能性を否定することはできない。
【０００７】
温水床暖房の場合、温水がパイプ内を流れる過程で次第に放熱することから、温水パイプの１回路長には限度がある。そのために、温水パイプユニットでは複数の温水回路が並列に配置されることが多い。並列に並んだそれぞれの温水回路には温水源からの温水が循環路を通して給湯されるが、例えば２回路の場合、４本あるパイプ端（２本の往き側端と２本の戻り側端）を、正しく識別しながら、往き管は往き管としてまとめ、戻り管は戻り管としてまとめ、それをさらに床下を走る温水源からの往き配管および戻り配管へ間違いなく接続することは容易でない。複数枚の温水パイプユニットを床下地面に敷き詰めたときには、すべての温水回路を温水源に対して並列に接続することとなるが、そのような場合に、パイプ端の数が一層多くなり、さらに注意力を必要とする。
【０００８】
本発明は上記のような事情に鑑みてなされたものであり、従来知られた温水パイプユニットを用いて温水式床暖房フロアを施工するときの、各温水パイプの端部と給湯源につながる温水循環路（温水管路）との接続を、間違いなくかつ容易に行いうるようにした改良された温水パイプユニット、およびそれを用いた温水循環システムを提供することを目的とする。
【課題を解決するための手段】
【０００９】
本発明による温水パイプユニットは、基材シートに１回路の温水パイプまたは並列した２回路以上の温水パイプを配置した構成を持つ温水式床暖房フロア用の温水パイプユニットであって、回路を構成する温水パイプの温水往き側端と温水戻り側端には視覚または触覚によりあるいはその双方により両者を識別できる識別手段が施してあることを特徴とする。
【００１０】
このように、温水パイプの温水往き側端と温水戻り側端に、それぞれを容易に識別できる識別手段を施しておくことにより、作業者は、例えば床下のような作業環境においても、どれが温水往き側端であり、どれが温水戻り側端であるかを、目で見てあるいは手で触って確実かつ容易に識別することができる。その識別に基づいて、それぞれの端部を相手方の端部（例えば、給湯源につながる循環路を構成する管路における温水往路端と温水戻り路端）に接続するので、間違いのない状態で容易に接続作業を終えることができる。
【００１１】
識別手段としては、種々採用できる。例えば、視覚による場合には、色による識別手段（すなわち、温水往き側端と温水戻り側端とを緑と黄色のように別の色彩のものとする、または一部分を別の色彩とする）や、形状による識別手段（例えば、断面円形状と断面矩形状とする）などであってよい。触覚による場合は、前記断面円形状と断面矩形状のように形状そのものの違いによってもよく、一方は平坦な表面、他方は凹凸のある表面のように表面性状の違いによるものであってもよい。同時に双方の識別手段を備えるようにしてもよい。また、いずれの場合も、温水パイプの端部に直接そのような識別手段を施してもよく、通常の平坦な温水パイプの端部に適宜の識別手段を持つカバー部材などを取り付けるような手法で識別手段を施すようにしてもよい。
【００１２】
さらに本発明は、上記した温水パイプユニットとボイラーなどである温水源との間に閉じた温水循環路が形成されている温水床暖房フロア用の温水循環システムであって、当該温水パイプユニットに配置した温水回路を形成する温水パイプの、温水往き側端と温水源との間の温水往路および温水戻り側端と温水源との間の温水戻り路にも、前記温水パイプの温水往き側端と温水戻り側端に施したと同様な識別手段が施してあることを特徴とする温水床暖房フロア用の温水循環システムをも開示する。
【００１３】
この温水床暖房フロア用の温水循環システムでは、温水循環路を構成する部材にも温水パイプの温水往き側端と温水戻り側端に施したと同様な識別手段が施してあるので、必要な管路の接続を行って温水循環経路を構成するときに、同じ識別手段が施してある部材同士を順次繋ぎ合わせていけばよく、繋ぎ間違いが生じるのは容易に回避される。
【００１４】
本発明はさらに、１個または複数個の温水パイプユニットに複数の温水回路が並列に配置されており、各回路の温水往き側端と温水源との間の温水往路には分岐継手が介装されていて最終的に１本の温水往路とされており、各回路の温水戻り側端と温水源との間の温水戻り路にも分岐継手が介装されていて最終的に１本の温水戻りとされている温水床暖房フロア用の温水循環システムにおいて、それぞれの分岐継手には、各温水パイプユニットの温水往き側端と温水戻り側端に施されたと同様の識別手段が施してあることを特徴とする温水循環システムをも開示する。
【００１５】
上記の温水循環システムでは、複数本ある温水回路の温水往き側端と温水戻り側とを最終的に１本化する過程で分岐継手を一段あるいは多段に用いることとなるが、各分岐継手には各回路の温水往き側端と温水戻り側端と同様の識別手段が施してあるので、前記と同様、同じ識別手段が施してある部材同士を分岐継手を用いながら順次繋ぎ合わせていけばよく、繋ぎ間違いが生じるのを容易に回避できる。
【００１６】
さらに、本発明によれば、往きおよび戻りの管路系に統一した前記識別手段が施してあることにより、保守管理作業時などにおいて、分解、再組み付け、さらには、必要な場合の部品交換などの作業を容易かつ確実に行うこともできる。
【発明の効果】
【００１７】
本発明による温水パイプユニットを用いることにより、温水式床暖房フロアを施工するときの各温水パイプの端部と給湯源につながる温水循環路との接続を、間違いなくかつ容易に行うことができ、施工作業の容易な温水循環システムが得られる。
【発明を実施するための最良の形態】
【００１８】
以下、図面を参照して本発明の実施の形態を説明する。図１、図２は本発明による温水パイプユニットの異なった形態を示す平面図であり、図３は本発明による温水床暖房フロア用の温水循環システムで用いられる分岐継手を示している。また、図４〜図８は本発明による温水床暖房フロア用の温水循環システムのいくつかの形態を説明する模式図である。なお、本発明による温水パイプユニット１Ａは、温水回路を構成する温水パイプの温水往き側端と温水戻り側端に前記した「識別手段」が施されていることを除いて、例えば図９に基づき一例を説明した従来知られた温水パイプユニット１と同様であってよい。従って、同じ部材には同じ符号を付すことにより、温水パイプユニット本体の詳細な説明は省略する。
【００１９】
図１に示す温水パイプユニット１Ａにおいて、右側の温水回路を構成する温水パイブ３ａの温水往き側端３ａ１には例えば緑色の着色（図では梨地で示される）１０が施されており、温水戻り側端３ａ２には例えば黄色の着色（図では白地で示される）１１が施されている。一方、左側の温水回路を構成する温水パイブ３ｂの温水往き側端３ｂ１にも同じ緑色の着色１０が施され、また温水戻り側端３ｂ２にも黄色の着色１１が施されている。
【００２０】
この着色の違いにより、見る者（例えば、作業者）は、視覚により容易に温水往き側端３ａ１、３ｂ１と温水戻り側端３ａ２，３ｂ２とを識別することができる。また、必要な場合には、図１に示すように、容易に、２つの回路の温水往き側端３ａ１、３ｂ１同士を１つにまとめ、さらに、温水戻り側端３ａ２、３ｂ２とを１つにまとめることができる。この例で、この着色の違いが本発明でいう「識別手段」に相当する。
【００２１】
図２では、温水パイプ３ａ，３ｂの端部に直接彩色を施すのではなく、緑色のパイプカバー１０ａと黄色のパイプカバー１１ａをパイプ端部に装着することによって、識別を容易にしている。この場合には、この色の違うパイプカバーが「識別手段」に相当する。このようなカバーを用いる場合には、図示しないが、断面形状や表面性状を変えることによって、作業者に触覚による識別を与えるようにすることも容易である。色の違いと形状の違いの双方を識別手段とすることもできる。
【００２２】
図３ａは、上記したような温水パイプユニット１Ａをボイラーなどである温水源４０（図４参照）と接続して、両者間に閉じた温水循環路を形成するときに、好適に用いられる分岐継手３０Ａ，３０Ｂを示している。分岐継手３０Ａ，３０Ｂは、３つのポート３１、３２、３３を持つ分岐管３４と、ポート３１、３２に接続された２本の接続パイプ３５、３６と、ポート３３に接続された１本の接続パイプ３７とからなる。そして、一方の分岐継手３０Ａには、前記温水パイプ３ａ，３ｂの端部３ａ１，３ｂ１に設けた識別手段と同じもの、この例では、緑色の着色（図では梨地で示される）が識別手段として施されており、他方の分岐継手３０Ｂには前記温水パイプ３ａ，３ｂの他方の端部３ａ２，３ｂ２に設けた識別手段と同じもの、この例では黄色の着色（図では白地で示される）が識別手段として施されている。分岐管３４そのものには識別手段を施すことなく、接続パイプ３５、３６、３７にのみ識別手段を施しても、所期の目的は十分に達成することができる。
【００２３】
図３ｂは分岐継手の他の態様であり、この分岐継手３０Ｃ，３０Ｄは全体が同じ色彩でありそれ自体では両者の識別は困難であるが、一方の分岐継手３０Ｄの接続パイプに例えば黄色や緑色のマーカー１０Ｃを識別手段として取り付けることにより、他方の分岐継手３０Ｃとの識別を可能としている。
【００２４】
図４は本発明による温水床暖房フロア用の温水循環システムの一例を示す。ここでは、温水パイプユニット１Ａとして図１に示したものを用い、分岐継手３０Ａ，３０Ｂとして図３ａに示したものを用いて、ボイラーなどである温水源４０との間に閉じた温水循環路を形成している。温水源４０の温水送り出し管４１には適宜の往き側配管４１ａが接続しており、この往き側配管４１ａの少なくとも先端領域には、温水パイプユニット１Ａの温水パイブ３ａ、３ｂの温水往き側端に施したと同じ緑色の着色（図では梨地で示される）１０が識別手段として施されている。また、温水源４０の温水戻り管４２にも適宜の戻り側配管４２ａが接続しており、この戻り側配管４２ａの少なくとも先端領域には、温水パイプユニット１Ａの温水パイブ３ａ、３ｂの温水戻り側端に施したと同じ黄色の着色（図では白地で示される）１１が識別手段として施されている。
【００２５】
配管施工に当たって、前記したように、温水パイプユニット１Ａの２つの温水回路を形成する温水パイプ３ａ，３ｂの端部は、床下地に開けられた穴から床下へ落とされる。そして、床下で、温水パイプ３ａ，３ｂの各端部３ａ１，３ａ２，３ｂ１，３ｂ２と、床下を走っている温水源４０に接続した配管４１ａ，４２ａとの接続が、分岐継手３０Ａ，３０Ｂを介して行われるが、前記のように、温水源４０から温水パイプユニット１Ａまでの温水往き側流路を形成する部材、すなわち、往き側配管４１ａ、分岐継手３０Ａ、温水パイプ３ａ，３ｂの往き側端３ａ１，３ｂ１は、すべて同じ緑色の着色１０が施されており、作業者は、緑色を頼りに各接続を行えば間違いのない状態で迅速に接続作業を終えることができる。温水戻り側流路を形成する場合には、戻り側配管４２ａ、分岐継手３０Ｂ、温水パイプ３ａ，３ｂの戻り側端３ａ２，３ｂ２を順次接続することとなるが、このときは、緑ではなく黄色の着色１１を頼りに、同様に接続を行うことにより、容易に作業を終えることができる。
【００２６】
図５〜図８は、本発明による温水床暖房フロア用の温水循環システムのさらに他の例を示している。図５の例は、温水パイプユニット１Ｂが１回路の温水パイプのみを持つ場合であり、温水パイプ３ａの往き側端３ａ１には温水源４０に接続した往き側配管４１ａが、温水パイプ３ａの戻り側端３ａ２には温水源４０に接続した戻り側配管４２ａが、上記した分岐継手を用いることなく、適宜の管継手によってそれぞれ接続されている。
【００２７】
図６の例は、１回路の温水パイプユニット１Ｂを２個、各回路を並列状態に温水源４０に接続した状態を示している。ここでは、往き側配管４１ａの先端に分岐継手３０Ａを接続し、該分岐継手３０Ａに２つの温水パイプユニット１Ｂ，１Ｂの温水往き側端３ａ１，３ａ１を接続し、戻り側配管４２ａの先端には分岐継手３０Ｂを接続し、そこに２つの温水パイプユニット１Ｂ，１Ｂの温水戻り側端３ａ２，３ａ２を接続している。
【００２８】
図７は図１に示した２回路の温水パイプ３ａ，３ｂを備えた温水パイプユニット１Ａを２個、各回路を並列状態に温水源４０に接続した状態を示している。ここでは、温水源４０の往き側配管４１ａの先端に分岐継手３０Ａを接続し、該分岐継手３０Ａの他の２つのポートにそれぞれ往き側接続パイプ４１ｂ，４１ｂを接続し、その先端に再び分岐継手３０Ａをそれぞれ接続し、各分岐継手３０Ａの残りの２つのポートに各温水パイプユニット１Ａの温水往き側端３ａ１，３ｂ１を接続している。
【００２９】
温水戻り流路の場合も同様であり、戻り側配管４２ａの先端に分岐継手３０Ｂを接続し、該分岐継手３０Ｂの他の２つのポートにそれぞれ戻り側接続パイプ４２ｂ，４２ｂを接続し、その先端に再び分岐継手３０Ｂをそれぞれ接続し、各分岐継手３０Ｂの残りの２つのポートに各温水パイプユニット１Ａの温水戻り側端３ａ２，３ｂ２を接続している。
【００３０】
図８は２回路を持つ温水パイプユニット１Ａと、１回路を持つ温水パイプユニット１Ｂを用いて温水源４０との間で閉じた温水循環路を形成する場合である。なお、接続の態様は上記したものとのほぼ同様であり、同じ機能を奏する部材に同じ符号を付し、詳細な説明は省略する。
【００３１】
本発明によれば上記のような複雑な配管経路でもって閉じた温水循環路を形成する場合であっても、温水往き側のすべての部材には例えば緑色１０である識別手段が施されており、一方、温水戻り側のすべての部材には例えば黄色１１である識別手段が施されているので、作業を行う者は、上流側あるいは下流側の実際の配管経路に格別の注意を払うことなく、単に色による区分けと識別でもって接続作業を続けていくことにより、設計図どおりの配管系（閉じた温水循環路）を容易かつ確実に形成することができる。
【図面の簡単な説明】
【００３２】
【図１】本発明による温水パイプユニットの１つの形態を示す平面図。
【図２】本発明による温水パイプユニットの他の形態を示す平面図。
【図３】本発明による温水床暖房フロア用の温水循環システムで用いられる分岐継手の２つの例を示す図。
【図４】本発明による温水床暖房フロア用の温水循環システムの１つの形態を説明する模式図。
【図５】本発明による温水床暖房フロア用の温水循環システムの他の形態を説明する模式図。
【図６】本発明による温水床暖房フロア用の温水循環システムのさらに他の形態を説明する模式図。
【図７】本発明による温水床暖房フロア用の温水循環システムのさらに他の形態を説明する模式図。
【図８】本発明による温水床暖房フロア用の温水循環システムのさらに他の形態を説明する模式図。
【図９】従来の温水パイプユニットの一例を示す平面図。
【符号の説明】
【００３３】
１、１Ａ、１Ａ…温水パイプユニット、２…基材シート、３ａ，３ｂ…温水パイプ、３ａ１、３ｂ１…温水パイブの温水往き側端、３ａ２、３ｂ２…温水パイブの温水戻り側端、４…パイプ収容溝、５…上部カバー、１０…識別手段としての緑色の着色部分（図では梨地で示される）、１０ａ…緑色のパイプカバー、１０Ｃ…マーカー、１１…識別手段としての黄色の着色部分（図では白地で示される）、１１ａ…黄色のパイプカバー、３０Ａ，３０Ｂ，３０Ｃ，３０Ｄ…分岐継手、３１、３２、３３…分岐継手のポート、３４…分岐管、３５、３６、３７…各ポートに接続された接続パイプ、４０…ボイラーなどである温水源、４１…温水源の温水送り出し管、４１ａ…往き側配管、４２…温水源の温水戻り管、４２ａ…戻り側配管
【図１】
2005188891.tif 000003
【図２】
2005188891.tif 000004
【図３】
2005188891.tif 000005
【図４】
2005188891.tif 000006
【図５】
2005188891.tif 000007
【図６】
2005188891.tif 000008
【図７】
2005188891.tif 000009
【図８】
2005188891.tif 000010
【図９】
2005188891.tif 000011